(57)【要約】【課題】眼鏡の丁番部のネジを無くし、出っ張りを少なくし、且つ良好なアガキを出す事。【解決手段】垂直で使用される打ち抜き加工の金属板からなるヨロイ部品（１０）又はテンプル部品（２０）のどちらかの連結用の一端部に十字型の開口部（２１）が設けられ、開口部が設けられなかった他方の連結用の一端部には、垂直に円柱状の貫通孔（１１）が設けられた円筒（１２）が設けられ、そして、該円柱状貫通孔に嵌め込まれ前記十字型の開口部の上下辺にそれぞれ嵌合する嵌合溝付きピン（３０）と嵌合溝を有する蓋付き筒体（３３）と、それらの間にそれらを十字型開口部の上下辺に圧迫固定する為のコイルバネ（４０）とからなる組合せ軸が設けられ、該組合せ軸を中心として、前記テンプル部品がアガキを有し、開閉可能に回転される事を特徴とする眼鏡用丁番機構の提供。【選択図】図１
2011232721.tif 000002
【特許請求の範囲】
【請求項１】
垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝付きピンと嵌合溝を有する蓋付き筒体と、該嵌合溝付きピンと嵌合溝を有する蓋付き筒体の間に前記嵌合溝付きピンと嵌合溝を有する蓋付き筒体とを前記十字型開口部の上下辺に圧迫固定する為のコイルバネとからなる組合せ軸が設けられ、該組合せ軸を中心として、前記テンプル部品が開閉可能に回転される事を特徴とする眼鏡用丁番機構。
【請求項２】
垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝を有する蓋付きの上下筒体と、その上下筒体間に挟まれ、前記上下筒体を前記十字型開口部上下辺に圧迫固定する為のコイルバネとからなる組合せ軸が設けられ、該組合せ軸を中心として、前記テンプル部品が開閉可能に回転される事を特徴とする眼鏡用丁番機構。
【請求項３】
垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝付き上下ピン体と、上下ピン体の間に挟まれ、前記上下ピン体を前記十字型開口部上下辺に圧迫固定する為のコイルバネと、そのコイルバネを外装し、アガキを出す為の内側筒体とからなる組合せ軸とが設けられ、該組合せ軸を中心として、前記テンプル部品が開閉可能に回転される事を特徴とする眼鏡用丁番機構。
【請求項４】
前記金属製の打ち抜き加工のヨロイ部品、テンプル部品が別の金属製又は樹脂製のヨロイ部品又はテンプル部品に固着された事を特徴とする請求項１〜３の何れか１項に記載の眼鏡用丁番機構。
【発明の詳細な説明】
【技術分野】
【０００１】本発明は、眼鏡用のネジ無し丁番の機構に関する。特に良好なアガキを有するネジ無し眼鏡用丁番機構に関する。
【背景技術】
【０００２】従来、眼鏡の丁番としては、雌駒部と雄駒部を嵌合し、ネジで螺合した丁番が一番多く使用されてきている。その中で、良好なアガキ（摺動摩擦抵抗）を出す為に、例えば、実全昭和５５−４１８６９や、実公平６−４８４８７の様な技術が提案されている。【０００３】
【先行技術文献】
【０００４】
【特許文献１】実全昭和５５−４１８６９
【特許文献２】実公平６−４８４８７
【発明の概要】
【発明が解決しようとする課題】
【０００５】しかしながら、従来技術である図９及び図１０の様に、雌駒１０１と雄駒１０２を嵌合しネジ１０３で螺合しテンプルの回動の際にアガキを出す場合に於いて、一般的に思い付くのは、ネジを強く締める事により雌駒部と雄駒部の間の摺動面Ｓでアガキを出す事であるが、その方法は実全昭和５５−４１８６９の明細書１ページの第１１行〜１６行に記載の如く好ましい方法ではない。摺動面Ｓのアガキによりネジの供廻りが起き易く、締まり過ぎ、反対に緩んで脱落するという事故が発生し易くなる。そこで、上記特許文献２の様に、テンプルの回動の際に雄駒部のネジ孔１０５とネジ軸１０６の接触する面Ｈでアガキを安定的に出す事が開示提案されて来ている。そしてそれが最近の主流の考え方となってきている。しかし、最近の部品の小型化と共に、その接触面積Ｊはネジ等の部品が小さくなればなるほど小さくなり摩擦力が小さくなりアガキが小さくなる率が高くなる。反対にネジ等の部品の直径を大きくすると接触面積は大きくなり摩擦力は大きくなりアガキが大きくなってくる、しかしながら、図１０のように内側への出っ張りＧの幅が大きくなり指で扱い難いほどになり、見栄えも悪くなってしまう。そういう理由もあり、最近は大きいネジは使用されなくなってきている。
【課題を解決するための手段】
【０００６】そこで本発明に於いては、締まり過ぎたり、緩んだりするネジを使用せず、しかも摩擦摺動面の面積を大きく出来、そして、内側への出っ張りを最小限にして指の触りも良好で、且つ、デザイン的にも優れた丁番を提供する為に、先ず、垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝付きピンと嵌合溝を有する蓋付き筒体と、それらの間にそれらを十字型開口部の上下辺に圧迫固定する為のコイルバネとからなる組合せ軸が設けられ、該組合せ軸を中心として、前記テンプル部品が開閉可能に回転される事を特徴とする眼鏡用丁番機構。【０００７】次に、垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝を有する蓋付きの上下筒体と、その上下筒体間に挟まれ、前記上下筒体を前記十字型開口部上下辺に圧迫固定する為のコイルバネとからなる組合せ軸が設けられ、該組合せ軸を中心として、前記テンプル部品が開閉可能に回転される事を特徴とする眼鏡用丁番機構の提供。【０００８】そしてその次に、垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝付き上下ピン体と、その間に挟まれ、前記上下ピン体を前記十字型開口部上下辺に圧迫固定する為のコイルバネと、そのコイルバネを外装し、アガキを出す為の内側筒体とからなる組合せ軸とが設けられ、該組合せ軸を中心として、前記テンプル部品が開閉可能に回転される事を特徴とする眼鏡用丁番機構の提供。そしてそれらを別個の金属製又は樹脂製のヨロイ部品又はテンプル部品に取り付ける事も可能である。
【発明の効果】
【０００９】上記機構を採用する事により、先ずネジを使用しない事によりネジの締まり過ぎや緩みが生じなくて、テンプルの回動の際に適宜アガキを生じさせる事が可能となり、内側への出っ張りもなくなり、デザイン的にもスッキリした眼鏡用丁番機構、牽いては眼鏡の提供が可能となった。そして、更にネジを使用しない事により、組み立て・分解が簡単に行える事も重要な要素である。
【図面の簡単な説明】
【００１０】
【図１】本発明の実施例の分解斜視図
【図２】本発明の実施例の分解斜視図
【図３】本発明の実施例の分解斜視図
【図４】本発明の実施例の組み立て斜視図
【図５】本発明の実施例の組立て平面図
【図６】本発明の実施例の要部拡大断面図
【図７】本発明の実施例の要部拡大断面図
【図８】本発明の実施例の要部拡大断面図
【図９】従来正面図
【図１０】従来平面図
【発明を実施するための最良の形態】
【００１１】垂直で使用される打ち抜き加工の金属板からなるヨロイ部品又はテンプル部品のどちらかの連結用の一端部に十字型の開口部が設けられ、開口部が設けられなかった他方の連結用の一端部には、垂直に円柱状の貫通孔が設けられた円筒が設けられ、そして、該円柱状貫通孔に嵌め込まれ前記十字型の開口部の上下辺にそれぞれ嵌合する嵌合溝付きピンと嵌合溝を有する蓋付き筒体と、それらの間にそれらを十字型開口部の上下辺に圧迫固定する為のコイルバネとからなる組合せ軸が設けられ、該組合せ軸を中心として、前記テンプル部品が開閉可能に回転される事を特徴とする眼鏡用丁番機構。以下図を参考に本発明を説明する。
【実施例１】
【００１２】図１は本発明の請求項１に係わる実施例の分解斜視図であり、垂直で使用される打ち抜き加工の金属板からなるヨロイ部品１０又はテンプル部品２０のどちらかの連結用の一端部、この場合はテンプル部品２０の連結用の一端部に十字型の開口部２１が設けられ、開口部が設けられなかった他方の、即ちヨロイ部品１０の連結用の一端部には、垂直に円柱状の貫通孔１１が設けられた円筒１２が設けられ。そして、該円柱状貫通孔１１に嵌め込まれ前記十字型の開口部２１の上下辺２２，２３にそれぞれ嵌合する嵌合溝３１付きピン３０と嵌合溝３２を有する蓋付き筒体３３と、それらの間にそれらを十字型開口部の上下辺２２，２３に圧迫固定する為のコイルバネ４０とからなる組合せ軸５０が設けられ、該組合せ軸５０を中心として、前記テンプル部品２０が開閉可能に回転される様になっている。そして、テンプル部品とヨロイ部品のそれぞれの端部が逆の構造、即ち、ヨロイ部品の端部に十字型の開口部を設け、テンプル部品の端部に円柱状の貫通孔を設けた円筒を設けた場合であっても勿論構わない。【００１３】次に図２は本発明の請求項２に係わる実施例の分解斜視図であり、垂直で使用される打ち抜き加工の金属板からなるヨロイ部品又はテンプル部品のどちらかの連結用の一端部、この場合もテンプル部品２０の連結用の一端部に十字型の開口部２１ａが設けられ、開口部が設けられなかったヨロイ部品１０ａの連結用の一端部には、垂直に円柱状の貫通孔１１ａが設けられた円筒１２が設けられ。そして、該円柱状貫通孔１１ａに嵌め込まれ前記十字型の開口部の上下辺２２ａ，２３ａにそれぞれ嵌合する嵌合溝３２ａ，３２ｂ付きの蓋付き上下筒体３４，３４ａと、その間に挟まれ、前記上下筒体を前記十字型開口部上下辺２２ａ，２３ｂに圧迫固定する為のコイルバネ４０ａとからなる組合せ軸５０ａが設けられ、該組合せ軸５０ａを中心として、前記テンプル部品２０ａが開閉可能に回転される様になっている。【００１４】そして、図３は本発明の請求項３に係わる実施例の分解斜視図であり、垂直で使用される打ち抜き加工の金属板からなるヨロイ部品又はテンプル部品のどちらかの連結用の一端部（この場合はテンプル部品）に十字型の開口部２１ｂが設けられ、開口部が設けられなかったヨロイ部品１０ｂの連結用の一端部には、垂直に円柱状の貫通孔２２ｂが設けられた円筒が設けられ。そして、該円柱状貫通孔に嵌め込まれ前記十字型の開口部の上下辺にそれぞれ嵌合する嵌合溝３１ａ付き上下ピン体３０ａ，３０ｂと、その間に挟まれ、前記上下ピン体を前記十字型開口部上下辺に圧迫固定する為のコイルバネ４０ｂと、そのコイルバネを外装し、アガキを出す為の内側筒体６０とからなる組合せ軸５０ｂとが設けられ、該組合せ軸５０ｂを中心として円筒１２の貫通孔１１を軸受けとして、前記テンプル部品２０ｂが開閉可能に回転される眼鏡用丁番機構である。【００１５】図４は上記図１〜図３の分解図からそれぞれ組み立てた要部斜視図であり、中の構造はそれぞれ異なるが、三つとも外観はほぼ同じとなる。そして、図からも解る様に、内側への出っ張りも少なくなりデザイン的にもスッキリする。勿論、アガキはこの図からは解らないが、良好なアガキを得る事が出来た。【００１６】図５は、図４の平面図であり、図６、図７、図８は図５のＡ−Ａ断面図の図１〜図３の組立てられた場合のそれぞれの断面図である。図９及び図１０は上述した様に従来図である。【００１７】図５と図１０を比較して見ると、明らかに解る様に、図１０の従来図の様に、ネジ１０３を有する丁番の嵩の高さはＧとなるが、そのネジと同じか或いは大きい直径を有する本発明の組合せ軸５０の嵩の高さｇはＧ／２よりもはるかに小さい値となる。前記組合せ軸５０の直径を大きくしてもデザイン上の問題はないし、内側への出っ張り気にはならない。【００１８】図６は図１の組み立てられた場合の拡大断面図であり、この様に軸受けとなる円柱状貫通孔１１を有する円筒１２は、組合せ軸の直径に比しても薄くて済む。従来のようにネジが軸である場合は締め付け等の力により胴膨れする場合があるので相当厚くしないと部品の強度が持たない事となる。そして、ここでコイルバネ４０は上下方向に働き、アガキには直接関係してこない。【００１９】次に図７、図８はそれぞれ図２及び図３の組み立てられた場合の拡大断面図であり上記図６の場合と同じ効果を現す。【００２０】そして、図９、図１０は上述した様に従来図の正面図、平面図である。【００２１】そして、本発明のヨロイ部品１０、テンプル部品２０の機構はこのまま眼鏡のフレーム部品として使用される事も可能であるが、他のフレーム部品、例えば、金属製・樹脂製のヨロイ部品、テンプル部品の端部にロウ付け、ネジ付けにより固着され手使用されても勿論構わない。
【産業上の利用可能性】
【００２２】眼鏡の新しいヒンジ部分の機構として大いに使用される事が期待される。
【符号の説明】
【００２３】１０        ヨロイ部品１１        貫通孔（軸受け）１２        円筒２０        テンプル部品２１        十字型貫通孔２２        十字型貫通孔上辺２３        十字型貫通孔下辺３０        ピン体３１、３２  溝３３        筒体４０        コイルバネ５０        組合せ軸（軸）６０        内側筒体Ｇ          駒部の内側への出っ張りｇ          本発明の丁番部の内側への出っ張り１０１      雌駒部１０２      雄駒部１０３      ネジ１０５      ネジ穴１０６      ネジ軸Ｓ          摺動面Ｈ          接触面Ｊ          接触面積
【図１】
2011232721.tif 000003
【図２】
2011232721.tif 000004
【図３】
2011232721.tif 000005
【図４】
2011232721.tif 000006
【図５】
2011232721.tif 000007
【図６】
2011232721.tif 000008
【図７】
2011232721.tif 000009
【図８】
2011232721.tif 000010
【図９】
2011232721.tif 000011
【図１０】
2011232721.tif 000012